(57)【要約】【課題】不良印刷に起因する用紙やインクの無駄、および処理時間の浪費を抑制しながら、印刷が適切に行われたか否かを確認するための品質情報の印刷を行い得る印刷装置、プログラム、印刷装置の品質情報印刷方法を提供することをその課題とする。【解決手段】所定のジョブ単位で構成される印刷データを印刷する印刷装置において、印刷データの印刷途中時、および印刷終了時の各タイミングで印刷ヘッドに不具合があるか否かを検出し、不具合がある場合にはその旨を示す品質情報を印刷媒体に印刷するものである。【選択図】図５
2007190815.tif 000002
【特許請求の範囲】
【請求項１】
所定のジョブ単位で構成される印刷データを印刷する印刷データ印刷手段と、
前記印刷データの印刷途中時、および印刷終了時の各タイミングで、前記印刷データ印
刷手段に不具合があるか否かを検出する検出手段と、
前記検出手段が前記不具合を検出した場合、当該不具合がある旨を示す品質情報を印刷
媒体に印刷する品質情報印刷手段と、を備えたことを特徴とする印刷装置。
【請求項２】
前記検出手段が前記印刷途中時のタイミングで前記不具合を検出した場合、
前記印刷データ印刷手段は、
印刷途中となった前記印刷データを再印刷することを特徴とする請求項１に記載の印刷
装置。
【請求項３】
前記検出手段が前記印刷終了時のタイミングで前記不具合を検出しなかった場合、
前記品質情報印刷手段は、
前記不具合がない旨を示す品質情報をさらに印刷することを特徴とする請求項１または
２に記載の印刷装置。
【請求項４】
前記検出手段は、
前記印刷データの印刷開始直前のタイミングで前記検出をさらに実行することを特徴と
する請求項１ないし３のいずれか１項に記載の印刷装置。
【請求項５】
前記品質情報印刷手段は、
前記品質情報として、前記印刷データ毎に、印刷したページ数の累計をさらに印刷する
ことを特徴とする請求項１ないし４のいずれか１項に記載の印刷装置。
【請求項６】
前記品質情報印刷手段は、
前記品質情報をコード化して印刷することを特徴とする請求項１ないし５のいずれか１
項に記載の印刷装置。
【請求項７】
前記印刷装置の印刷物が、印刷された前記品質情報を読み取る読取手段を備えた封緘機
により封入対象となるものであることを特徴とする請求項１ないし６のいずれか１項に記
載の印刷装置。
【請求項８】
１の前記印刷データの印刷に要するページ数が複数ページである場合、
前記検出手段は、
各ページの印刷開始直前および印刷終了時の各タイミングで前記検出を実行することを
特徴とする請求項４ないし７のいずれか１項に記載の印刷装置。
【請求項９】
前記印刷装置がインクジェットプリンタであることを特徴とする請求項１ないし８のい
ずれか１項に記載の印刷装置。
【請求項１０】
コンピュータに、請求項１ないし９のいずれか１項に記載の印刷装置における各手段を
機能させることを特徴とするプログラム。
【請求項１１】
所定のジョブ単位で構成される印刷データを印刷する印刷データ印刷ステップと、
前記印刷データの印刷途中時、および印刷終了時の各タイミングで、前記印刷データ印
刷ステップにおいて不具合があるか否かを検出する検出ステップと、
前記検出ステップにおいて前記不具合を検出した場合、当該不具合がある旨を示す品質
情報を印刷媒体に印刷する品質情報印刷ステップと、を実行することを特徴とする印刷装
置の品質情報印刷方法。
【発明の詳細な説明】
【技術分野】
【０００１】
本発明は、印刷装置、プログラム、印刷装置の品質情報印刷方法に関するものである。
【背景技術】
【０００２】
従来、適切に印刷が行われたか否かを判別し、適切に印刷が行われていなければその旨
を示すマークを印刷する印刷装置が知られている（例えば特許文献１参照）。これにより
、個々の印刷物を手作業で検査するといった煩雑な作業を必要とすることなく、印刷が適
切に行われたか否かを確実に確認することが可能となった。
【特許文献１】特開平０９−２４０１２０号公報
【発明の開示】
【発明が解決しようとする課題】
【０００３】
ところで、上記の印刷装置の場合、適切に印刷が行われたか否かを判別する方法として
、予め印刷を行う前に記憶しておいた印刷データのイメージデータと、実際に印刷を行っ
た後に読み込んだ印刷物のイメージデータとを照合し、この照合結果に基づいて印刷状態
が適切か否かを判別するといった方法が採られている。しかしながら、この方法では実際
に印刷を行った後に印刷状態が適切か否かを判断するため、たとえ印刷状態が適切でない
場合にも印刷は最後まで行われてしまう。このため、適切でない状態で印刷されたものは
全て無効となってしまい、用紙やインクの無駄となるばかりでなく、印刷に要した時間も
無駄である。
【０００４】
本発明は、上記の問題点に鑑み、不良印刷に起因する用紙やインクの無駄、および処理
時間の浪費を抑制しながら、印刷が適切に行われたか否かを確認するための品質情報の印
刷を行い得る印刷装置、プログラム、印刷装置の品質情報印刷方法を提供することをその
課題とする。
【課題を解決するための手段】
【０００５】
本発明の印刷装置は、所定のジョブ単位で構成される印刷データを印刷する印刷データ
印刷手段と、印刷データの印刷途中時、および印刷終了時の各タイミングで、印刷データ
印刷手段に不具合があるか否かを検出する検出手段と、検出手段が不具合を検出した場合
、不具合がある旨を示す品質情報を印刷媒体に印刷する品質情報印刷手段と、を備えたこ
とを特徴とする。
【０００６】
同様に、本発明の印刷装置の品質情報印刷方法は、所定のジョブ単位で構成される印刷
データを印刷する印刷データ印刷ステップと、印刷データの印刷途中時、および印刷終了
時の各タイミングで、印刷データ印刷ステップにおいて不具合があるか否かを検出する検
出ステップと、検出ステップにおいて不具合を検出した場合、不具合がある旨を示す品質
情報を印刷媒体に印刷する品質情報印刷ステップと、を実行することを特徴とする。
【０００７】
これらの構成によれば、印刷データの印刷終了時のタイミングに加え、印刷途中時のタ
イミングで印刷装置（印刷データ印刷手段）に不具合があるか否かを検出するので、印刷
が適切でない状態のまま継続されることを極力防止することができる。従って、不良印刷
に起因する用紙やインクの無駄、および処理時間の浪費を大幅に抑制しながら、印刷が適
切に行われたか否かを確認するための品質情報の印刷を行うことができる。なお、不具合
の検出に応じて印刷装置のメンテナンス処理（例えばヘッドクリーニングなど）を行うこ
とが好ましい。
【０００８】
この場合、検出手段が印刷途中時のタイミングで不具合を検出した場合、印刷データ印
刷手段は、印刷途中となった印刷データを再印刷することが好ましい。
【０００９】
この構成によれば、印刷装置（印刷データ印刷手段）の不具合の検出に因って印刷が中
断されてしまった印刷データが自動的に再印刷されるため、ユーザが、適切に印刷が行わ
れなかった印刷データを把握し、その印刷データの再印刷を指示する、といった煩雑な作
業を行う手間を省略することができる。なお、再印刷を開始する以前に、印刷装置がメン
テナンス処理を行うことにより印刷装置の不具合を解消することが好ましい。
【００１０】
また、これらの場合、検出手段が印刷終了時のタイミングで不具合を検出しなかった場
合、品質情報印刷手段は、検出手段の検出結果に基づいて、印刷データの印刷品質に関す
る品質情報をさらに印刷することが好ましい。
【００１１】
この構成によれば、印刷データの印刷終了時のタイミングで検出手段が不具合を検出し
なかった場合にも、品質情報が印刷媒体に印刷されるので、品質情報を確認することによ
り、適切に印刷が行われたことを確実に認識できる。
【００１２】
また、これらの場合、検出手段は、印刷データの印刷開始直前のタイミングで検出をさ
らに実行することが好ましい。
【００１３】
この構成によれば、印刷を開始するタイミングでさらに検出を実行することにより、印
刷装置（印刷データ印刷手段）に不具合がある状態のまま印刷が開始される虞がない。
【００１４】
また、これらの場合、品質情報印刷手段は、品質情報として、印刷データ毎に、印刷し
たページ数の累計をさらに印刷することが好ましい。
【００１５】
この構成によれば、品質情報を確認することにより、手作業で印刷媒体の枚数を数える
ことなく、１つの印刷データの印刷に要したページ数を容易に把握することができる。ま
た、印刷装置の不具合を検出した場合にも、印刷装置の不具合を検出するまでに印刷を行
ったページ数が分かるので、印刷不良による損失を瞬時に把握することが可能となる。
【００１６】
また、これらの場合、品質情報印刷手段は、品質情報をコード化して印刷することが好
ましい。
【００１７】
この構成によれば、品質情報をコード化して印刷することにより、品質情報の印刷に必
要な印刷領域の縮小化が図れるとともに、品質情報として、印刷品質を示す情報に加え様
々な情報を容易に含めて印刷することができる。また、印刷したコードを他の装置に読み
取らせることにより、印刷品質の確認処理をシステム化することも可能である。
【００１８】
また、これらの場合、印刷装置の印刷物が、印刷された品質情報を読み取る読取手段を
備えた封緘機により封入対象となるものであることが好ましい。
【００１９】
この構成によれば、印刷媒体に印刷された品質情報を、封緘機が行う各処理に役立てる
ことができる。例えば、封緘機が品質情報を読み取ることにより印刷不良の印刷物を排除
したり、品質情報に含まれるページ数等に基づいて印刷物のカット位置や折り込み位置を
特定したりすることができる。
【００２０】
また、これらの場合、１の印刷データの印刷に要するページ数が複数ページである場合
、検出手段は、各ページの印刷開始直前および印刷終了時の各タイミングで検出を実行す
ることが好ましい。
【００２１】
この構成によれば、１ページ分の印刷データを印刷している間は、検出手段による検出
が行われないこととなる。従って、ページの途中で印刷を一時中断するといった不自然な
動作が行われないため、ユーザが戸惑う虞がない。
【００２２】
また、これらの場合、印刷装置がインクジェットプリンタであることが好ましい。
【００２３】
この構成によれば、本発明の印刷装置をカラー印刷可能なインクジェットプリンタに適
用することができる。
【００２４】
本発明のプログラムは、上記のいずれか１に記載の印刷装置における各手段をコンピュ
ータに機能させるためのものであることを特徴とする。
【００２５】
このプログラムをコンピュータが実行することにより、不良印刷に起因する用紙やイン
クの無駄、および処理時間の浪費を抑制しながら、印刷が適切に行われたか否かを確認す
るための品質情報の印刷を行い得る印刷装置を実現することができる。
【発明を実施するための最良の形態】
【００２６】
以下、本発明の一実施形態に係る印刷装置、プログラム、印刷装置の品質情報印刷方法
について、添付の図面を参照しながら詳細に説明する。本発明の印刷装置等は、印刷処理
における所定のタイミングで、印刷装置（印刷ヘッド）に不具合があるか否かを検査し、
その検査結果に基づいた品質情報を印刷媒体に印刷するものである。そこで、本発明の印
刷装置等を、例えばダイレクトメールに代表されるような顧客への送付物となる印刷物を
作成するインクジェットプリンタに適用して説明する。
【００２７】
初めに、本発明の一実施形態に係る印刷装置の全体構成について図１および図２を参照
して説明する。図１は本実施形態における印刷装置の外観斜視図であり、図２は印刷装置
の印刷ヘッド廻りを示す概略図である。図１に示すように印刷装置１は、装置カバー２で
上面を覆われた装置ケース３により外郭を構成されている。装置ケース３には、内部装置
６が組み込まれた装置フレーム１１が固定されている。装置フレーム１１の前部には、ベ
ースフレーム１３および一対のサイドフレーム１４から構成される、トレー状の載置フレ
ーム１２が固定されている。  装置フレーム１１の後部には、印刷媒体となる連続紙を収
容するための収容ポケット１５が形成されていると共に、装置カバー２を開閉自在に支持
するカバーフレーム１６が固定されている。そして、収容ポケット１５に収容された連続
紙は、送り経路に沿って送られ、装置カバー２に形成された排紙口（図示省略）から排紙
される。
【００２８】
内部装置６は、基本的な構成として、印刷ヘッド６１を有し印刷媒体（連続紙）に印刷
を行うための印刷部３１と、印刷媒体を送り経路に沿って送る送り部３２と、インクカー
トリッジ１１１を有し印刷ヘッド６１にインクを供給するインク供給部３３と、印刷ヘッ
ド６１のメンテナンスを行うメンテナンス部３４（図２参照）と、これら各部を相互に関
連させながら制御することにより、印刷装置全体を制御する制御部３５（図３参照）と、
を備えている。
【００２９】
印刷部３１は、印刷ヘッド６１と、印刷ヘッド６１をＸ軸方向に移動させるためのヘッ
ド移動機構４１と、ヘッド移動機構４１に支持され、印刷ヘッド６１を搭載するヘッドユ
ニット４２と、で構成されている。
【００３０】
ヘッド移動機構４１は、ヘッドユニット４２（印刷ヘッド６１）をＸ軸方向、すなわち
主走査方向に移動させるためのキャリッジモータ５１（制御モータ）と、キャリッジモー
タ５１に接続された右側の駆動プーリ５２と左側の従動プーリ（図示省略）との間に掛け
渡したタイミングベルト５４と、ヘッドユニット４２をＸ軸方向にスライド自在に支持す
ると共に、ヘッドユニット４２の移動をガイドするガイド部材５５と、を有している。
【００３１】
駆動プーリ５２および従動プーリは、タイミングベルト５４が、主走査方向に対して平
行に掛け渡されるように、載置フレーム１２に固定されている。ガイド部材５５は、上記
したサイドフレーム１４に主走査方向に平行に掛け渡されている。ガイド部材５５は、ガ
イドロッド５６およびガイドプレート５７から構成されており、これら両部材によりヘッ
ドユニット４２（印刷ヘッド６１）を搭載したキャリッジ６２がスライド自在に支持され
ている。
【００３２】
印刷ヘッド６１は、送り経路を送られていく印刷媒体にインク滴を吐出させるもので、
インクカートリッジ１１１からインクの供給を受けるインク導入部と、供給されたインク
を吐出させるためのヘッド本体（何れも図示省略）から構成されている。ヘッド本体は、
多数の吐出ノズルを形成したノズルプレートおよびピエゾ圧電素子が組み込まれたキャビ
ティから構成されており、印刷ヘッド６１では、キャビティのポンプ作用により吐出ノズ
ルからインク滴を吐出するようになっている。印刷ヘッド６１がキャリッジ６２に搭載で
きるようにユニットとして構成されたものがヘッドユニット４２である。
【００３３】
キャリッジ６２は、キャリッジモータ５１の正逆回転により、ヘッドユニット４２（印
刷ヘッド６１）を保持した状態で、タイミングベルト５４を介して（主走査方向に）往復
動する。なお、載置フレーム１２には、Ｘ軸リニアエンコーダが配設されており、ヘッド
移動領域を主走査方向に移動するキャリッジの移動位置を正確に把握できるようになって
いる。
【００３４】
送り部３２は、送り経路に沿って、印刷媒体を副走査方向（Ｙ軸方向）に送出するもの
であり、収容ポケット１５に収容された連続紙を繰り出すと共に、繰り出した連続紙を送
り経路に沿って排紙口まで送る送り機構（図示省略）と、連続紙送り機構の駆動源となる
送りモータ１４１（図３参照）と、送りモータの動力を送り機構に伝達する動力伝達機構
（図示省略）と、を備えている。
【００３５】
インク供給部３３は、上記した載置フレーム１２に載置され、インクを貯留するインク
カートリッジ１１１と、インクカートリッジ１１１と印刷ヘッド６１とを接続し、インク
カートリッジ１１１から印刷ヘッド６１にインクを供給するための給液チューブ（図示省
略）と、を備えている。本実施形態の印刷装置１はカラープリンタであり、印刷装置１に
は、ブラック（Ｂ）のインクを充填したインクカートリッジ１１１ａと、イエロー（Ｙ）
、マゼンタ（Ｍ）、シアン（Ｃ）のインクを充填したインクカートリッジ１１１ｂと、が
配設されている。
【００３６】
また、図２に示すように、印刷ヘッド６１のメンテナンス部３４は、印刷ヘッド６１の
ホームポジション（非印刷領域）に配置されており、印刷ヘッド６１（吐出ノズル）から
のインク液滴の吐出状態を検出する吐出センサ６２と、ワイピングユニット６３および吸
引ユニット６４を有している。吐出センサ６２は、印刷ヘッド６１の各ノズルから吐出さ
れたインク液滴と吐出センサ６２との接触状態をそれぞれ出力電圧に変換することによっ
て、各ノズルの目詰まり等を検出する（以下、この検出をドット抜け検出と呼称する）。
具体的には、予め制御部３５に記憶された、全ノズルが正常状態にあるときの出力電圧と
、実際に出力した出力電圧とを比較することにより、各ノズルに不良ノズルが含まれてい
るか否かを検出する。
【００３７】
ワイピングユニット６３は、吸引ユニット６４による吸引処理の後、ワイパーブレード
（図示省略）により、ノズル開口面の拭き取りを行うものである。ワイパーブレードは、
ゴムや軟質樹脂等で構成され、ワイピングユニット６３の先端部に上方に突出するように
組み込まれている。このワイパーブレードに対し、キャリッジ６２に搭載された印刷ヘッ
ド６１が主走査方向に往復動することで、拭き取り動作が行われる。
【００３８】
一方、吸引ユニット６４は、印刷ヘッド６１が直上まで移動してきたときに、上方に移
動して印刷ヘッド６１のノズル形成面を封止する吸引キャップ（図示省略）と、吸引キャ
ップに負圧を与える吸引ポンプ（図３参照）とを有しており、当該吸引ユニット６４によ
って、インク排出処理（メンテナンス処理）の一つであるインク吸引処理が行われる。
【００３９】
吸引キャップは、吸引ポンプ６５（図３参照）からの負圧を印刷ヘッド６１の各ノズル
に作用させて、インク吸引処理を行うと共に、印刷装置の休止期間中において、印刷ヘッ
ド６１のノズル開口面を封止してインク溶媒の蒸発や大気との接触を抑制させる蓋体とし
て機能する。インク吸引処理によって吸引されたインクは吸引キャップと接続された廃イ
ンク貯留タンクに蓄えられる。廃インク貯留タンクには、繊維質の廃インク吸収体が収容
されており、吸引または捨て吐出（空吐出）されたインクはこの廃インク吸収体に吸収さ
れる。
【００４０】
また、吸引キャップは、インク排出処理（メンテナンス処理）のもう一つの処理である
フラッシング処理において、印刷ヘッド６１との間にわずかの間隙を存して対峙し、印刷
ヘッド６１から捨て吐出されるインクを受けるインク受けとしても機能する。フラッシン
グ処理は、印刷処理中において数分に１回の割合で、印刷ヘッド６１をホームポジション
に移動させた状態で、所定量のインクを捨て吐出させることにより行うものである。
【００４１】
次に、印刷装置１の制御構成について説明する。図３に示すように、印刷装置１は、ホ
ストコンピュータ２００からのデータ（プリントデータ、制御データ）や各種指令等を入
出力するためのデータ入出力部１１０と、電源スイッチ１２１を有し各部に電源を供給す
る電源部１２０と、印刷データに基づいて印刷を行う印刷部１３０（３１）と、印刷媒体
（連続紙）の副走査方向への送りを行う送り部１４０（３２）と、印刷ヘッド６１のメン
テナンス処理を行うメンテナンス部１５０（３４）と、各部を駆動する駆動部１６０と、
これら各部に接続され、印刷装置１全体の制御を行う制御部１７０（３５）と、を備えて
いる。
【００４２】
データ入出力部１１０は、インターフェース１１１を有し、これを介してホストコンピ
ュータ２００との通信を行う。印刷部１３０は、上述の印刷ヘッド６１やキャリッジモー
タ５１等を有しており、印刷ヘッド６１およびキャリッジモータ５１を、載置フレーム１
２に配設した不図示のＸ軸リニアエンコーダによりキャリッジ６２の位置を把握しながら
、同期させて駆動することにより、印刷媒体に印刷を行う。また、印刷装置１は、ホスト
コンピュータ２００からのデータにより、指定された色で印刷を行うことができる。なお
、印刷部１３０は、ホストコンピュータ２００から受信した印刷データに加え、上述の吐
出センサ６２によって行われたドット抜け検出の検出結果に基づき、印刷データの品質情
報を印刷媒体に印刷する（詳細は後述する）。
【００４３】
送り部１４０は、送りモータ１４１等を有し、送りモータ１４１を駆動して送り機構を
同期させることにより、印刷媒体の副走査方向への送りを行う。メンテナンス部１５０は
、吐出センサ６２、ワイピングユニット６３、吸引ユニット６４、並びに吸引ポンプ６５
等を有し、印刷ヘッド６１のメンテナンスを行う。駆動部１６０は、印刷ヘッド６１を駆
動するためのヘッドドライバ１６１、各種モータ（キャリッジモータ５１、送りモータ１
４１など）を駆動するためのモータドライバ１６２、ワイピングユニット６３や吸引ユニ
ット６４を駆動するためのメンテナンスドライバ１６３、吸引ポンプ６５を駆動するため
のポンプドライバ１６４等の各種ドライバを有している。
【００４４】
制御部１７０は、ＣＰＵ１７１、ＲＯＭ１７２、ＲＡＭ１７５、入出力制御回路１７８
（ＩＯＣ）を備えており、これらは互いに内部バス１７９により接続されている。ＲＯＭ
１７２は、ＣＰＵ１７１で処理する制御プログラムを記憶する制御プログラム領域１７３
の他、ホストコンピュータ２００から送信される（印刷制御データ等の）制御コマンドに
対応する制御データを記憶する制御データ領域１７４を有している。なお、本実施形態に
係る印刷装置１は、所定の情報をコード化した画像データを生成するためのプログラムが
格納されており、バーコードや二次元コードといったシンボル画像を印刷することが可能
となっている。
【００４５】
ＲＡＭ１７５は、外部から入力したデータを記憶する受信バッファ１７６、印刷のため
の画像データを記憶するプリントバッファ１７７の他、各種のフラグ領域やレジスタ群を
有し、制御処理のための書き換えをする作業領域として使用される。ＣＰＵ１７１は、Ｒ
ＯＭ１７２内の制御プログラムに従って、ＩＯＣ１７８を介して各種検出信号、各種指令
、各種データ等を入力し、ＲＡＭ１７５内の各種データ等を処理した後、ＩＯＣ１７８を
介して駆動部１６０に制御信号を出力する。このように、制御部１７０により印刷装置１
の各部が制御され、印刷装置１全体が制御されるようになっている。
【００４６】
続いて、本実施形態に係る印刷装置１の処理対象となる印刷データ、および印刷装置１
の印刷媒体について説明する。上述したように本実施形態の印刷装置１は、顧客への送付
物となる印刷物を作成するものであり、印刷データは１の顧客に対する印刷データを１ジ
ョブとしたジョブ単位で構成されている。
【００４７】
図４（ａ）に示すように、印刷データは、印刷データの構成を定義する構成データと、
印刷媒体に実際に印刷されるプリントデータとから構成されており、構成データには、ジ
ョブＩＤ、１のジョブの印刷に要する印刷ページ数、および１ページの長さであるページ
長のデータが含まれるとともに、プリントデータには、印刷物の送付先となる宛先データ
と、これに続いて各顧客への送付内容となる内容データとが含まれている。なお、宛先デ
ータの印刷ページは１ページ目と固定的に定められており、内容データの印刷ページ数は
その内容により任意のページ数となっている。
【００４８】
また、同図（ｂ）に示すように、印刷装置１の印刷媒体は連続紙であり、各ジョブの１
ページ目には上述の宛先データが印刷され、以降には内容データが印刷されるようになっ
ている。また、封筒などに宛名が記載される場合などは、印刷データは全て内容データと
してもよい。
【００４９】
ところで、本実施形態に係る印刷装置１は、１のジョブ（印刷データ）の印刷開始直前
、印刷途中時、印刷終了時の各タイミングで、上述した吐出センサ６２による印刷ヘッド
６１（吐出ノズル）のドット抜け検出を実行する。これにより、印刷ヘッド６１（吐出ノ
ズル）に不具合がある状態で印刷が行われる虞を最低限に留めることが可能となる。以下
、図５に示すフローチャートを参照して説明する。
【００５０】
図５は、印刷装置１による１のジョブの印刷処理の一連を示すフローチャートである。
同図に示すように印刷装置１は、ホストコンピュータ２００から印刷データを受信し、給
紙処理が正常に行われたことを確認すると、最初に吐出センサ６２によるドット抜け検出
を実行する（Ｓ０１）。ドット抜け検出を完了すると、次に制御部３５がその検出結果を
判別する（Ｓ０２）。この判別において、検出結果が印刷ヘッド６１（吐出ノズル）に不
具合がないことを示す場合には（Ｓ０２：Ｎｏ）、印刷処理を開始する（Ｓ０３）。また
、検出結果が印刷ヘッド６１（吐出ノズル）に不具合があることを示す場合には（Ｓ０２
：Ｙｅｓ）、上述のメンテナンス部３４（ワイピングユニット６３および吸引ユニット６
４）により印刷ヘッド６１のクリーニングが行われる（Ｓ０４）。
【００５１】
その後、連続紙１ページ分の印刷処理を終了すると（Ｓ０５）、再び吐出センサ６２に
よるドット抜け検出を実行する（Ｓ０６）。ドット抜け検出を完了すると、次に制御部３
５がその検出結果を判別する（Ｓ０７）。この判別において、検出結果が印刷ヘッド６１
（吐出ノズル）に不具合がないことを示す場合には（Ｓ０７：Ｎｏ）、さらに制御部３５
が、１のジョブ（印刷データ）の印刷処理が終了したか否かを判別する（Ｓ０８）。ここ
で、１のジョブ（印刷データ）の印刷処理が終了した場合には（Ｓ０８：Ｙｅｓ）、直前
に行ったドット抜け検出（Ｓ０６に該当）の検出結果と、印刷した印刷ページ数の累計と
を品質情報として印刷する（Ｓ０９）。また、１のジョブ（印刷データ）の印刷処理が終
了していない場合には（Ｓ０８：Ｎｏ）、改ページ処理を行い（Ｓ１０）、次ページの印
刷処理へと移行する（すなわち再びＳ０１に該当するドット抜け検出が行われる）。なお
、改ページ処理には、用紙送りの他、ページカウンタのカウントアップ等が含まれる。ま
た、１のジョブが終了する度にページカウンタがリセットされることは言うまでもない。
【００５２】
一方、１ページ分の印刷処理を終了した時点でのドット抜け検出において（Ｓ０６に該
当）、検出結果が印刷ヘッド６１（吐出ノズル）に不具合があることを示す場合には（Ｓ
０７：Ｙｅｓ）、印刷データの処理を中断し（Ｓ１１）、直前に行ったドット抜け検出（
Ｓ０６に該当）の検出結果と印刷した印刷ページの累計とを品質情報として印刷する（Ｓ
１２）。そして、改ページ処理を行った後（Ｓ１３）、制御部３５は処理を中断したジョ
ブ（印刷データ）の再印刷を指示する（Ｓ１４）。この指示により、再印刷を指示された
ジョブのプリントデータの再印刷が実行されることとなる。なお、再印刷を実行する前に
は印刷ヘッド６１のクリーニングが行われるが、これを品質情報の印刷（Ｓ１２に該当）
前に行ってもよい。
【００５３】
つまり、上述の１ページ分の印刷処理（Ｓ０５に該当）がジョブ（印刷データ）の先頭
ページの処理である場合、印刷を開始する前に行ったドット抜け検出（Ｓ０１に該当）が
１のジョブ（印刷データ）の印刷開始直前のタイミングで行われるドット抜け検出に相当
するものであり、もう一方のドット抜け検出（Ｓ０６に該当）は印刷途中時のタイミング
で行われるドット抜け検出に相当するものである。
【００５４】
一方、１ページ分の印刷処理（Ｓ０５に該当）がジョブ（印刷データ）の終了ページの
処理である場合、ページ印刷後に行ったドット抜け検出（Ｓ０６に該当）が１のジョブ（
印刷データ）の印刷終了時のタイミングで行われるドット抜け検出に相当するものであり
、もう一方のドット抜け検出（Ｓ０１に該当）は印刷途中時のタイミングで行われるドッ
ト抜け検出に相当するものである。また、１ページ分の印刷処理（Ｓ０５に該当）がジョ
ブ（印刷データ）の中間ページの印刷処理である場合、実行されるドット抜け検出は全て
印刷途中時のタイミングで行われるドット抜け検出に相当するものとなる。
【００５５】
引き続き、図６に示す印刷物の一例を参照しながら具体的に説明する。同図に示す印刷
物は、ＩＤ「１」およびＩＤ「２」のジョブ（印刷データ）を印刷した例を示しており、
どちらの印刷データも印刷ページ数は３ページとなっている。図示するように、ＩＤ「１
」のジョブの１ページ目の印刷を開始するタイミングで行われたドット抜け検出において
、印刷ヘッド６１（吐出ノズル）に不具合がないことを確認しているので、１ページ目の
印刷処理が実行されている。また、１ページ目の印刷処理を終了したタイミングで行われ
たドット抜け検出においても、印刷ヘッド６１（吐出ノズル）に不具合がないことを確認
しており、処理がそのまま続行されている。
【００５６】
さらに、２ページ目の印刷を開始するタイミングで行われたドット抜け検出において、
ここでも印刷ヘッド６１（吐出ノズル）に不具合がないことを確認しているので、２ペー
ジ目の印刷が実行されている。また、２ページ目の印刷処理を終了したタイミングで行っ
たドット抜け検出（ジョブ（印刷データ）の印刷途中時における検出となる）においても
、印刷ヘッド６１（吐出ノズル）に不具合がないことを確認しており、処理がそのまま続
行されている。
【００５７】
さらに、３ページ目の印刷を開始するタイミングで行われたドット抜け検出において、
ここでも印刷ヘッド６１（吐出ノズル）に不具合がないことを確認しているので、３ペー
ジ目の印刷が実行されている。次に、３ページ目の印刷処理を終了したタイミングで行っ
たドット抜け検出においても、印刷ヘッド６１（吐出ノズル）に不具合がないことが確認
できている。ここで、ＩＤ「１」のジョブ全ページの印刷を終了したことから品質情報を
コード化したシンボル画像Ｂ１の印刷が行われている。
【００５８】
図示のように、ＩＤ「１」のジョブの３ページ目に印刷されたシンボル画像Ｂ１には、
ジョブＩＤ「１」、印刷結果が良好であることを示す「印刷ＯＫ」、並びに印刷ページ数
「３」の内容が含まれている。
【００５９】
続いて、ＩＤ「２」のジョブの１ページ目の印刷を開始するタイミングで行われたドッ
ト抜け検出において、印刷ヘッド６１（吐出ノズル）に不具合がないことが確認され、Ｉ
Ｄ「２」のジョブ１ページ目の印刷が実行されている。次に、１ページ目の印刷処理を終
了したタイミングで行われたドット抜け検出において、ここでは印刷ヘッド６１（吐出ノ
ズル）に不具合があることが確認されており、この時点でＩＤ「２」のジョブの印刷は中
断され、品質情報をコード化したシンボル画像Ｂ２が印刷されている。
【００６０】
図示のように、ＩＤ「２」のジョブの印刷途中で印刷されたシンボル画像Ｂ２には、ジ
ョブＩＤ「２」、印刷結果が不良であることを示す「印刷ＮＧ」、並びに印刷ページ数「
１」の内容が含まれている。
【００６１】
そして、印刷ヘッド６１のクリーニング等を行ってから再度ドット抜け検出を実行し、
検出結果により印刷ヘッド６１（吐出ノズル）に不具合がないことを確認した後、再びＩ
Ｄ「２」のジョブの１ページ目の印刷が行われている。このような手順で順次２ページ目
、３ページ目の印刷が行われ、３ページ目の印刷処理を終了したタイミングで行ったドッ
ト抜け検出において印刷ヘッド６１（吐出ノズル）に不具合がないことが確認された後、
品質情報をコード化したシンボル画像Ｂ３が印刷されている。
【００６２】
図示のように、ＩＤ「２」のジョブの３ページ目に印刷されたシンボル画像Ｂ１には、
ジョブＩＤ「２」、印刷結果が良好であることを示す「印刷ＯＫ」、並びに印刷ページ数
「３」の内容が含まれている。
【００６３】
このように、本実施形態の印刷装置１は、１のジョブ（印刷データ）の印刷開始時や印
刷終了時に加え、印刷途中時のタイミングで印刷ヘッド６１（吐出ノズル）に不具合があ
るか否かを検出し、不具合がある場合にはその旨を示す品質情報を印刷媒体に印刷するの
で、不良印刷に起因する用紙やインクの無駄、および処理時間の浪費を大幅に抑制しなが
ら、品質情報の印刷を行うことができる。さらに、品質情報には印刷を行った印刷ページ
数が含まれているので、印刷不良により損失したページ数を瞬時に把握することができる
。
【００６４】
また、ベンダーにより印刷装置１を使用するユーザへ印刷したページ数により課金する
システムを執っている場合、この損失したページ数の情報は、品質情報を印刷した印刷物
、または品質情報を印刷装置１からホストコンピュータ２００に送信することにより、把
握することができる。従って、印刷したページ数から損失したページ数を差し引くことに
より、不具合なく正常に印刷したページ数を知ることができる。この結果、正常に印刷し
たページ数に対してのみ課金することが可能となる。即ち、この品質情報は課金システム
において、印刷保証の役割を持つことができる。
【００６５】
なお、上述のように本実施形態の印刷装置１は、顧客への送付物と成る印刷物を作成す
ることにより、印刷物はその後封緘機により封入されることが想定される。従って、封緘
機にスキャナを備え、印刷物に印刷された品質情報（シンボル画像Ｂ１，Ｂ２，Ｂ３）を
読み取ることにより、例えば「印刷ＮＧ」のものを排出しながら封緘を行うといった処理
が実現できる。また、品質情報に含まれる印刷ページ数に基づいて印刷物の切断位置や折
り込み位置を特定することも可能である。もちろん、切断位置や折り込み位置を示す情報
を品質情報に含めて印刷してもよい。このように、印刷結果の印刷品質を示す情報と、封
緘機による切断位置や折り込み位置を示す情報とを一括して印刷することができるので、
処理効率に優れるとともに、印刷物の見栄えに与える影響も少ない。
【００６６】
さらに、各ジョブの印刷に要する印刷ページが複数ページである場合には、ドット抜け
検出を各ページの印刷開始時および終了時に実行するので、ページの途中で印刷を一時中
断するといった不自然な動作が行われないため、ユーザが戸惑う虞がない。
【００６７】
また、図７に示すように、ミシン線８１および送り穴８２を有している連続紙を用いる
場合には、送り穴８２が配置する端部８３に品質情報（シンボル画像Ｂ）を印刷する構成
でもよい。この構成によれば、プリントデータの印刷領域８４に品質情報（シンボル画像
Ｂ）が印刷されることがないので、印刷物（プリントデータ）の見栄えを損ねる虞がない
。
【００６８】
また、品質情報として、コード化したシンボル画像を印刷する構成に代え、テキストデ
ータや所定のマークを品質情報として印刷してもよい。さらに、これら品質情報を所定の
色で印刷するようにしてもよい。
【００６９】
さらに、上記の説明では、ドット抜け検出として印刷ヘッド６１の各ノズルから吐出さ
れたインク液滴との接触状態をそれぞれ出力電圧に変換することによって、各ノズルの目
詰まりを検出しているが、他の方法を用いて検出を行ってもよい。例えばレーザ光を照射
し、照射した光が吐出されたインク液滴により遮断されるか否かにより検出を行ってもよ
いし、印刷ヘッド６１に対向する位置に振動板を設け、これに対して吐出されたインク液
滴による振動板の振動状態により各ノズルの目詰まりを検出する構成でもよい。
【００７０】
また、上記の説明では、印刷装置１が作成する印刷物としてダイレクトメールに代表さ
れるような顧客への送付物を例に挙げたが、印刷装置１が作成する印刷物の種別は何れで
もよい。
【００７１】
さらに、本実施形態の印刷装置１としてインクジェットプリンタを例に挙げ説明してき
たが、印刷装置１はインクジェットプリンタに限られるものではない。例えば、サーマル
方式の印刷装置１を本発明の印刷装置１として適用してもよい。この場合、例えば印刷ヘ
ッド近傍の温度を検出し、検出した温度に基づいてサーマルヘッドに不具合があるか否か
を判別してもよい。また、ドット毎の抵抗値を検出し、異常に高い値のドットがある場合
を不具合としてもよい。サーマル方式で不具合のある場合は、サーマルヘッドの交換が必
要となる。
【００７２】
また、上記の例に示した、印刷装置１の各機能をプログラムとして提供することも可能
である。また、そのプログラムを記録媒体（図示省略）に格納して提供することも可能で
ある。記録媒体としては、ＣＤ−ＲＯＭ、フラッシュＲＯＭ、メモリカード（コンパクト
フラッシュ（登録商標）、スマートメディア、メモリスティック等）、コンパクトディス
ク、光磁気ディスク、デジタルバーサタイルディスクおよびフレキシブルディスク、ハー
ドディスク等を利用可能である。
【００７３】
なお、上記の実施形態における印刷装置１の例によらず、装置構成や処理工程等につい
て、本発明の要旨を逸脱しない範囲で、適宜変更も可能である。
【図面の簡単な説明】
【００７４】
【図１】印刷装置の外観斜視図である。
【図２】印刷ヘッド廻りを示す概略図である。
【図３】印刷装置の制御構成図である。
【図４】印刷データ（ａ）および印刷媒体（ｂ）を例示する図である。
【図５】ドット抜け検出およびこれに基づく品質情報印刷の一連を示すフローチャートである。
【図６】ドット抜け検出およびこれに基づく品質情報印刷の一連を具体的に示す説明図である。
【図７】品質情報の印刷領域についての一例を示す図である。
【符号の説明】
【００７５】
１…印刷装置  ３１…印刷部  ３２…送り部  ３４…メンテナンス部  ３５…制御部  
６２…吐出センサ  ６３…ワイピングユニット  ６４…吸引ユニット  ６５…吸引ポンプ
１７１…ＣＰＵ  １７２…ＲＯＭ  １７５…ＲＡＭ  Ｂ…シンボル画像
【図１】
2007190815.tif 000003
【図２】
2007190815.tif 000004
【図３】
2007190815.tif 000005
【図４】
2007190815.tif 000006
【図５】
2007190815.tif 000007
【図６】
2007190815.tif 000008
【図７】
2007190815.tif 000009